(57)【要約】      （修正有）【課題】保守点検が容易であり、除雪時にオーガ内に雪を取り入れ易いガードを備えたロータリー除雪車を提供する。【解決手段】オーガ１２に人員が巻き込まれるのを防止するためのガード１４を備え、ガードが、下端部１４ｂが上端部１４ａよりも前方に位置するように側面から見て傾斜状態で、かつ、上端部を中心として回動できるように、ロータリー除雪車１０に取り付けられており、ガードが、縦方向に配置された複数の第１部材１６と横方向に配置された複数の第２部材１８とを格子状に組み合わせることによって形成されており、格子状の組合せが、ガードの上半分の開口が下半分の開口よりも大きくなるようになされていることを特徴とする。【選択図】図１
0003107039.tif 000002
【実用新案登録請求の範囲】
【請求項１】
ロータリー除雪車であって、
オーガに人員が巻き込まれるのを防止するためのガードを備え、
前記ガードが、下端部が上端部よりも前方に位置するように側面から見て傾斜状態で、かつ、前記上端部を中心として回動できるように、前記ロータリー除雪車に取り付けられており、
前記ガードが、縦方向に配置された複数の第１部材と横方向に配置された複数の第２部材とを格子状に組み合わせることによって形成されており、
前記格子状の組合せが、前記ガードの上半分の開口が下半分の開口よりも大きくなるようになされている、
ことを特徴とする除雪車。
【請求項２】
前記オーガの作動を遠隔的に停止させるオーガ作動停止装置を更に備え、
前記オーガ作動停止装置が、前記オーガを回転させる回転部と前記回転部を回転駆動させる油圧駆動源との間に配置された切換バルブを有し、遠隔操作機から信号を送って前記切換バルブへの電気接続を遮断することにより前記切換バルブを閉鎖し、オーガの作動を停止させるように構成されている、
ことを特徴とする請求項１に記載の除雪車。
【考案の詳細な説明】
【技術分野】
【０００１】
本考案は一般に、ロータリー除雪車に関する。より詳細には、本考案は、人員巻き込み防止用安全装置を備えたロータリー除雪車に関する。
【背景技術】
【０００２】
ロータリー除雪車は、オーガを回転させ、路上の雪を巻き込んで飛散させる型式の除雪車であり、積雪地帯において広範に利用されている。しかし、ロータリー除雪車には、回転部であるオーガが設けられているため、作業員等の安全を考慮して、オーガの前面に人員巻き込み防止用のガードを装着したり、人員接近警報システムを装備している場合も少なくない。
【考案の開示】
【考案が解決しようとする課題】
【０００３】
しかしながら、従来のロータリー除雪車では、ガードが除雪車にボルトやピンで固定されているため、除雪車の保守点検等に際してガードを取り外さなければならず、保守点検等に多大の時間と労力を要していた。また、ガードが路面に対してほぼ垂直になるように固定されているため、ガードの前方に溜まった雪をオーガ内に円滑に取り入れるのが困難であるという課題があった。さらに、従来のロータリー除雪車に装備されている人員接近警報システムでは、システムの感知範囲外においては作動しないため、除雪作業中の一層の安全性を高めることが望まれていた。
【０００４】
したがって、本考案は、保守点検が容易であり、除雪時にオーガ内に雪を取り入れ易いガードを備えたロータリー除雪車を提供することを目的としている。また、本考案は、上述のガードに加えて、より一層の安全性を高めた警報システムを備えたロータリー除雪車を提供することを目的としている。
【課題を解決するための手段】
【０００５】
本願請求項１に記載のロータリー除雪車は、オーガに人員が巻き込まれるのを防止するためのガードを備え、前記ガードが、下端部が上端部よりも前方に位置するように側面から見て傾斜状態で、かつ、前記上端部を中心として回動できるように、前記ロータリー除雪車に取り付けられており、前記ガードが、縦方向に配置された複数の第１部材と横方向に配置された複数の第２部材とを格子状に組み合わせることによって形成されており、前記格子状の組合せが、前記ガードの上半分の開口が下半分の開口よりも大きくなるようになされていることを特徴とするものである。
【０００６】
本願請求項２に記載のロータリー除雪車は、前記請求項１のロータリー除雪車において、前記オーガの作動を遠隔的に停止させるオーガ作動停止装置を更に備え、前記オーガ作動停止装置が、前記オーガを回転させる回転部と前記回転部を回転駆動させる油圧駆動源との間に配置された切換バルブを有し、遠隔操作機から信号を送って前記切換バルブへの電気接続を遮断することにより前記切換バルブを閉鎖し、オーガの作動を停止させるように構成されていることを特徴とするものである。
【考案の効果】
【０００７】
本考案によれば、効率的かつ安全に除雪作業および保守点検作業を実施することが可能になる。また、オーガ作動停止装置を装備することにより、除雪作業の安全性を確保することが可能になる。
【考案を実施するための最良の形態】
【０００８】
次に添付図面を参照して、本考案の好ましい実施の形態に係るロータリー除雪車について詳細に説明する。図１は、本考案の好ましい実施の形態に係るロータリー除雪車を概略的に示した全体図、図２は、図１のロータリー除雪車の前方部分を概略的に示した図である。図１において全体として参照符号１０で示される本考案の好ましい実施の形態に係るロータリー除雪車は、前方部分にオーガ１２が設けられており、除雪時にオーガ１２が回転駆動されるようになっている。オーガ１２の前面には、オーガ１２に人員が巻き込まれるのを防止するためのガード１４が配置されている。
【０００９】
ガード１４は、下端部１４ｂが上端部１４ａよりも前方（ロータリー除雪車１０の進行方向）に位置するように、側面から見て傾斜した状態でロータリー除雪車１０に取り付けられている。ガード１４は、縦方向に配置された複数の第１部材１６と、横方向に配置された複数の第２部材１８とを格子状に組み合わせることによって形成されている。ガード１４は好ましくは、後述するように除雪を効率的に実施するために、上半分の格子が大きくなるように形成されている（換言すると、図４（ａ）及び図４（ｂ）に示されるように、ガード１４の上半分の開口が、下半分の開口よりも大きくなるように格子が形成されている）。第１部材１６は、平板で形成されており、除雪車の進行方向に位置する縁部が鋭角をなすように面取りされている（図４（ｂ）参照）。第２部材１８は、円形パイプ材で形成されている。
【００１０】
ガード１４は、上端部１４ａを中心として回動できるように、ロータリー除雪車１０に取り付けられており、駆動源２０（モータ及び減速機）を作動させチェイン２２を引き上げることにより、ガード１４を開放する（即ち、上端部１４ａを中心として上方に回動させる）ことができるようになっている。
【００１１】
以上のように構成されたロータリー除雪車１０の使用について説明する。除雪作業に際しては、ガード１４が傾斜しており、かつ、上半分の開口が大きくなるように形成されているため、路上に積もっている雪がガード１４の前面に乗り上げられて上半分の開口からオーガ１２に巻き込まれるようになっている。また、ガード１４が上端部１４ａを中心として回動できるように取り付けられているため、ガード１４の下端部１４ｂが障害物や硬い氷塊等に当たっても、ガード１４が僅かに上方に回動するので、円滑な除雪が可能であるとともに、除雪車への負荷も少なくてすむ。一方、保守点検作業に際しては、ガード１４を上方に回動させることにより、容易かつ迅速に保守作業を実施することができる。
【００１２】
次に、本考案に係るロータリー除雪車１０が装備しているオーガ作動停止装置について説明する。ロータリー除雪車１０は、除雪作業中に人員が感知範囲内に入った場合に警報を発する人員接近警報システムを装備している。この人員接近警報システムは、種々の型式のものが開発されているが、例えば、超音波を用いて除雪車と人員との距離を計算し、当該距離が所定範囲内に達したときに警報を発するように構成されている。
【００１３】
このような人員接近警報システムは、システムの感知範囲内においては有効であるが、感知範囲外においては作動しないため、本考案に係るロータリー除雪車１０は、一層の安全を確保すべく、作業員がシステムの感知範囲外にいる場合においてもオーガの作動を遠隔的に停止させることができるオーガ作動停止装置を備えている。
【００１４】
図６は、ロータリー除雪車１０に装備されるオーガ作動停止装置の回路図である。オーガ作動停止装置は、オーガ１２を回転させる回転部Ｍと回転部Ｍを回転駆動させる油圧駆動源Ｐとの間に配置された切換バルブと、切換バルブの開閉を操作するための電気配線と、遠隔操作機（リモコン）からの信号を受信して電気配線を遮断したり接続したりするための受信機とを有している。
【００１５】
そして、作業員がシステムの感知範囲外にいる場合においてオーガ１２の作動を停止させようとするときは、作業員（誘導員）が所持する遠隔操作機のスイッチをＯＮにすると、遠隔操作機から送られた信号がロータリー除雪機１０に装備された受信機に受信されて電気配線を遮断し、これにより切換バルブを閉鎖して油圧駆動源Ｐと回転部Ｍとの連通を遮断してオーガ１２の回転を停止させることができる。
【００１６】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【図面の簡単な説明】
【００１７】
【図１】本考案の好ましい実施の形態に係るロータリー除雪車を概略的に示した全体図である。
【図２】ガードの閉鎖状態における図１のロータリー除雪車の前方部分を概略的に示した図である。
【図３】ガードの開放状態における図１のロータリー除雪車の前方部分を概略的に示した図である。
【図４】図４（ａ）は、図１のロータリー除雪車のガードの正面図、図４（ｂ）は、図１のロータリー除雪車のガードの斜視図である。
【図５】図１のロータリー除雪車に装備されるオーガ停止装置の回路図である。
【図６】図６（ａ）は、従来のロータリー除雪車の前方部分を概略的に示した図、図６（ｂ）は、従来のロータリー除雪車のガードの斜視図である。
【符号の説明】
【００１８】
１０  ロータリー除雪車
１２  オーガ
１４  ガード
１６  第１部材
１８  第２部材
２０  ガード開閉用駆動源
２２  チェイン
【図１】
0003107039.tif 000003
【図２】
0003107039.tif 000004
【図３】
0003107039.tif 000005
【図４】
0003107039.tif 000006
【図５】
0003107039.tif 000007
【図６】
0003107039.tif 000008